【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
（ａ）（ｉ）心拍数が徐々に増加する段階の間、（ｉｉ）心拍数が徐々に減少する段階の間、または、（ｉｉｉ）心拍数が徐々に増加する段階と心拍数が徐々に減少する段階との両方の間において、被験者から少なくとも１つのＱＴおよびＲＲ間隔のデータセットを収集するステップと、
（ｂ）前記少なくとも１つのＱＴおよびＲＲ間隔のデータセットにおいて遅い動向から変動を分離するステップと、
（ｃ）前記ＱＴおよびＲＲの変動を互いに比較することにより、それらの間での相違を求めるステップと、
（ｄ）前記ステップ（ｃ）の比較から、ＱＴおよびＲＲの変動の間で相違が大きいことが前記被験者の心不整脈の危険が大きいことを示す、前記被験者において心不整脈の危険に対する尺度を生成するステップと
を含む、被験者の心不整脈の危険を選別する方法。
【請求項２】
前記第１のＱＴおよびＲＲ間隔のデータセットと前記第２のＱＴおよびＲＲ間隔のデータセットとが、準定常状態のもとにおいて収集されることを特徴とする請求項１に記載の方法。
【請求項３】
心拍数が徐々に増加する前記段階と心拍数が徐々に減少する前記段階とはそれぞれ、持続時間が少なくとも３分であることを特徴とする請求項１に記載の方法。
【請求項４】
心拍数が徐々に増加する前記段階と心拍数が徐々に減少する前記段階とは、全体の時間を６分から４０分として一緒に実行されることを特徴とする請求項１に記載の方法。
【請求項５】
心拍数が徐々に増加する前記段階と心拍数が徐々に減少する前記段階との両方が、ピーク速度と最低速度との間において実行され、心拍数が徐々に増加する前記段階と心拍数が徐々に減少する前記段階との両方の前記ピーク速度が同じであることを特徴とする請求項１に記載の方法。
【請求項６】
心拍数が徐々に増加する前記段階と心拍数が徐々に減少する前記段階との両方の前記最低速度がほぼ同じであることを特徴とする請求項５に記載の方法。
【請求項７】
心拍数が徐々に減少する前記段階が少なくとも３つの異なる心拍数の刺激レベルにおいて実行されることを特徴とする請求項１に記載の方法。
【請求項８】
心拍数が徐々に増加する前記段階が少なくとも３つの異なる心拍数の刺激レベルにおいて実行されることを特徴とする請求項７に記載の方法。
【請求項９】
心拍数が徐々に増加する前記段階と心拍数が徐々に減少する前記段階とが時間的に連続して実行されることを特徴とする請求項１に記載の方法。
【請求項１０】
心拍数が徐々に増加する前記段階と心拍数が徐々に減少する前記段階とが時間的に間をおいて実行されることを特徴とする請求項１に記載の方法。
【請求項１１】
心拍数が徐々に増加する前記段階の間において前記心拍数が１２０拍／分を超えないことを特徴とする請求項１に記載の方法。
【請求項１２】
心拍数が徐々に増加する前記段階の間において前記心拍数が１２０拍／分を超えることを特徴とする請求項１に記載の方法。
【請求項１３】
（ｅ）前記心不整脈の危険に対する尺度と少なくとも１つの基準値とを比較するステップと、
（ｆ）次いで、前記ステップ（ｅ）の比較から、前記被験者の心不整脈の危険に対する定量的な表示を生成するステップと
をさらに含むことを特徴とする請求項１に記載の方法。
【請求項１４】
前記定量的な表示から前記被験者が将来心不整脈を患う危険の可能性を評価するステップをさらに含むことを特徴とする請求項１３に記載の方法。
【請求項１５】
前記データセットが、第１のＱＴおよびＲＲ間隔のデータセットを前記被験者から心拍数が徐々に増加する段階の間に収集して、第２のＱＴおよびＲＲ間隔のデータセットを前記被験者から心拍数が徐々に減少する段階の間で収集することによって集められ、
（ｅ）前記第１のＱＴおよびＲＲ間隔のデータセットと前記第２のＱＴおよびＲＲ間隔のデータセットとを比較することによって、前記データセット間で相違を決定するステップと、
（ｆ）前記ステップ（ｅ）の比較から、前記第１データセットと前記第２データセットとの間の相違が大きいことが前記被験者の心不整脈の危険が大きいことを示す、前記被験者における心不整脈の危険に対する尺度を生成するステップと
をさらに含むことを特徴とする請求項１に記載の方法。
【請求項１６】
（ａ）（ｉ）心拍数が徐々に増加する段階の間、（ｉｉ）心拍数が徐々に減少する段階の間、または（ｉｉｉ）心拍数が徐々に増加する段階と心拍数が徐々に減少する段階との両方の間で被験者から収集した少なくとも１つのＱＴおよびＲＲ間隔のデータセットを提供するステップと、
（ｂ）前記少なくとも１つのＱＴおよびＲＲ間隔のデータセットにおいて遅い動向から変動を分離するステップと、
（ｃ）前記ＱＴおよびＲＲの変動を互いに比較することによって、それらの間で相違を求めるステップと、
（ｄ）前記ステップ（ｃ）の比較から、ＱＴおよびＲＲの変動の間での相違が大きいことが前記被験者の心不整脈の危険が大きいことを示す、前記被験者における心不整脈の危険に対する尺度を生成するステップと
を含む、コンピューターシステム上において実行される被験者の心不整脈の危険を評価する方法。
【請求項１７】
（ａ）（ｉ）心拍数が徐々に増加する段階、（ｉｉ）心拍数が徐々に減少する段階、または（ｉｉｉ）心拍数が徐々に増加する段階と心拍数が徐々に減少する段階との両方の間において、前記被験者から収集した少なくとも１つのＱＴおよびＲＲ間隔のデータセットを提供する手段と、
（ｂ）前記少なくとも１つのＱＴおよびＲＲ間隔のデータセットにおいて遅い動向から変動を分離する手段と、
（ｃ）前記ＱＴおよびＲＲの変動を互いに比較することによって、それらの間で相違を求める手段と、
（ｄ）前記ステップ（ｃ）の比較から、ＱＴおよびＲＲの変動の間で相違が大きいことが前記被験者の心不整脈の危険が大きいことを示す、前記被験者における心不整脈の危険に対する尺度を生成する手段と
を備える、被験者の心不整脈の危険を評価するコンピューターシステム。
【請求項１８】
（ｉ）心拍数が徐々に増加する段階の間、（ｉｉ）心拍数が徐々に減少する段階の間、または（ｉｉｉ）心拍数が徐々に増加する段階と心拍数が徐々に減少する段階との両方の間において、前記被験者から収集した少なくとも１つのＱＴおよびＲＲ間隔のデータセットから被験者において心不整脈の危険を評価するためのコンピュータープログラム製品であって、
前記コンピュータープログラム製品は媒体の中に組み込まれたコンピューターが読取り可能なプログラムコード手段を有するコンピューターが使用可能な記録媒体を備え、
前記コンピューターが読取り可能なプログラムコード手段が、
（ａ）前記少なくとも１つのＱＴおよびＲＲ間隔のデータセットにおいて遅い動向から変動を分離するためのコンピューターが読取り可能なプログラムコード手段と、
（ｂ）前記ＱＴおよびＲＲの変動を互いに比較することによって、それらの間で相違を求めるためのコンピューターが読取り可能なプログラムコード手段と、
（ｃ）前記ステップ（ｂ）の比較から、ＱＴおよびＲＲの変動の間において相違が大きいことが前記被験者の心不整脈の危険が大きいことを示す、前記被験者における心不整脈の危険に対する尺度を生成するためのコンピューターが読取り可能なプログラムコード手段と
を備える、コンピュータープログラム製品。